(57)【特許請求の範囲】
【請求項１】
複数のアンテナを用いて受信した希望信号に含まれるフレーム同期信号の位置を検出する受信機において、
希望信号が到来すると予想される方向からの信号を大きい強度で受信するとともに干渉信号が到来すると予想される方向からの信号を小さい強度で受信する重み付けをそれぞれのアンテナにより受信した信号に施して当該信号を総和した総和信号を生成する総和信号生成手段と、
当該生成した総和信号と予め用意されたフレーム同期信号パターンとの相関度が最大となる信号位置における当該相関度を検出する相関度検出手段と、
当該検出した相関度が所定の閾値未満であった場合に、前記総和信号生成手段で用いられた重み付けにおいて受信強度が小さくなる方向から希望信号が到来すると想定した重み付けをそれぞれのアンテナにより受信した信号に施して当該信号を総和した総和信号を生成する総和信号再生成手段と、
前記相関度検出手段により検出された相関度が所定の閾値未満であった場合に、前記総和信号再生成手段により生成された総和信号と予め用意されたフレーム同期信号パターンとの相関度が最大となる信号位置をフレーム同期信号の位置又はその候補として検出するフレーム同期信号位置検出手段と、
を備えたことを特徴とする受信機。
【請求項２】
請求項１に記載の受信機において、
前記総和信号再生成手段が前記総和信号生成手段で用いられた重み付けにおいて受信強度が小さくなる方向であって且つ当該総和信号再生成手段で既に用いられた重み付けがある場合には当該既に用いられた重み付けにおいて希望信号が到来すると想定した方向とは異なる方向から希望信号が到来すると想定した重み付けをそれぞれのアンテナにより受信した信号に施して当該信号を総和した総和信号を生成し、前記相関度検出手段が当該総和信号再生成手段により生成された当該総和信号と予め用意されたフレーム同期信号パターンとの相関度が最大となる信号位置における当該相関度を検出し、前記フレーム同期信号位置検出手段が、当該相関度検出手段により検出された当該相関度が所定の閾値を超えた場合には当該総和信号再生成手段により生成された総和信号と予め用意されたフレーム同期信号パターンとの相関度が最大となる信号位置をフレーム同期信号の位置として検出する一方、当該相関度検出手段により検出された当該相関度が所定の閾値未満であった場合には当該総和信号再生成手段により生成された総和信号と予め用意されたフレーム同期信号パターンとの相関度が最大となる信号位置をフレーム同期信号の位置の候補として検出する処理を一連の処理として、
前記総和信号生成手段により生成された総和信号について前記相関度検出手段により検出された相関度が所定の閾値を超えた場合には、前記フレーム同期信号位置検出手段が当該相関度が最大となる信号位置をフレーム同期信号の位置として検出する一方、
前記総和信号生成手段により生成された総和信号について前記相関度検出手段により検出された相関度が所定の閾値未満であった場合には、前記一連の処理を１回又は２回以上繰り返して実行する、
ことを特徴とする受信機。
【発明の詳細な説明】
【０００１】
【発明の属する技術分野】
本発明は、複数のアンテナを用いて希望信号を受信する受信機に関し、特に、例えば比較的大きい干渉信号が存在する環境においても、希望信号に含まれるフレーム同期信号の位置を正確に検出する技術に関する。
【０００２】
【従来の技術】
例えばデジタル無線通信では、受信側の装置が受信した信号フレームの先頭位置を検出することを可能とするために、送信側の装置が送信対象となるデータ信号の先頭にフレーム同期信号を付加して送信することが行われる。送信側の装置と受信側の装置とでは例えば予め同一のフレーム同期信号のパターンが設定されており、受信側の装置では、受信信号と当該フレーム同期信号パターンとの複素相関値を算出することにより、フレーム同期信号の位置（すなわち、受信信号フレームの先頭位置）を検出することができ、これにより、フレーム同期を確立することができる。
【０００３】
具体的には、一般に、フレーム同期信号としてはＭ系列等の鋭い相関特性を有する特定の信号が用いられ、これにより、フレーム同期信号以外の信号とフレーム同期信号との複素相関値がフレーム同期信号同士の複素相関値と比べて小さくなるようになっている。このため、例えば受信信号とフレーム同期信号パターンとの乗算タイミングをずらしていって、当該受信信号と当該フレーム同期信号パターンとの複素相関値が一定の閾値を超えた場合に、その乗算タイミングに対応した信号位置をフレーム同期信号の位置として検出することができる。
【０００４】
図８（ａ）には、受信側の装置の受信機に備えられるフレーム同期信号検出回路の一例を示してあり、その動作例を示す。
すなわち、まず、受信信号を直交検波することにより得られた複素ベースバンド信号がＡ／Ｄ変換回路４１によりアナログ信号からデジタル信号へ変換され、変換された複素ベースバンド（デジタル）信号とフレーム同期信号パターンとの複素相関演算が複素相関回路４２により行われる。そして、この複素相関演算により得られた複素相関値（相関電力値）が複素相関回路４２から出力されて、当該複素相関値と所定の閾値とが比較回路４３により比較され、当該閾値より大きい複素相関値が算出された複素ベースバンド信号位置がフレーム同期信号の位置として検出される。
【０００５】
ここで、２つの信号の複素相関値は例えばこれら２つの信号を複素乗算したものを時間積分することにより得られ、一例として、ｊ個の信号成分Ａ１〜Ａｊから構成されたデジタル信号とｊ個の信号成分Ｂ１〜Ｂｊから構成されたデジタル信号との複素相関値Ｐは、Ｐ＝Ａ１・Ｂ１＋Ａ２・Ｂ２＋…＋Ａｊ・Ｂｊにより算出される。
また、上記した所定の閾値としては、例えばフレーム同期信号の長さや適用されるシステムの使用状況等に応じて、適切な値に設定される。
【０００６】
また、同図（ｂ）には、Ａ／Ｄ変換回路４１に入力される複素ベースバンド信号の一例を示してあり、この複素ベースバンド信号にはデータ信号の先頭にフレーム同期信号（ＵＷ）が含まれている。
また、同図（ｃ）には、複素相関演算により得られる複素相関値の一例を示してあるとともに、同図（ｄ）には、閾値を超える複素相関値が得られたときのフレーム同期信号パターンの乗算タイミングを示してある。同図（ｃ）に示されるように、無線回線による通信状況が良好であるときには、フレーム同期信号が含まれる位置でのみ閾値を超える複素相関値のピークが検出される。
【０００７】
しかしながら、上記図８（ａ）に示したようなフレーム同期信号検出回路では、例えば希望信号（受信を希望する通信相手からの信号）と等しいレベル以上の同一チャネル干渉電力が存在するような環境においては、希望信号に含まれるフレーム同期信号が干渉信号に埋もれてしまうことから、フレーム同期信号が含まれる位置での複素相関値の大きさとデータ信号（干渉信号も含まれる）が含まれる位置での複素相関値の大きさとの間に差が生じなくなってしまうため、フレーム同期信号の位置を検出することが困難になってしまうといった問題があった。特に、干渉信号の電力が希望信号の電力の２倍以上になってしまうような環境においては、フレーム同期信号の位置を検出することが不可能になってしまう。
【０００８】
なお、図９（ａ）には、干渉信号の電力（干渉波電力）が比較的小さい場合に得られる複素相関値（相関電力）の一例を示してあり、同図（ｂ）には、干渉信号の電力が比較的大きい場合に得られる複素相関値の一例を示してある。上述したように、フレーム同期信号の位置における複素相関値のピークが埋もれない程度に干渉信号の電力が小さい場合には当該位置を検出することができるが、当該ピークが埋もれてしまうほどに干渉信号の電力が大きい場合には当該位置を検出することができなくなってしまう。
【０００９】
上記のような問題を解消する有効な手段として、例えばアダプティブアレイアンテナを用いて同一チャネルの干渉信号を除去する手段が知られている。
具体的には、アダプティブアレイアンテナでは、複数のアンテナ素子から構成されたアレイアンテナを用いて信号を受信し、当該受信信号（複素入力ベクトル）に乗算する複素アンテナ係数ベクトルを適応アルゴリズムにより最適化することが行われ、これにより、干渉信号が到来する方向にヌルを向けたアンテナ指向性を実現して干渉信号を除去することができる。
【００１０】
例えば、上記した複素入力ベクトルＸを式１で示し、上記した複素アンテナ係数ベクトルＷを式２で示すと、アダプティブアレイアンテナを構成する複数のアンテナにより総じて得られる受信信号（総和信号）ｙは式３で示され、この受信信号ｙは複素入力ベクトルＸと複素アンテナ係数ベクトルＷとの内積値となる。
【００１１】
ここで、この例ではアダプティブアレイアンテナを構成するアンテナの総数がｎ個（ｎは２以上の整数）であるとしてあり、式１中のＸ１〜Ｘｎはそれぞれ各アンテナ（第１のアンテナ〜第ｎのアンテナ）により受信される信号を示し、式２中のＷ１〜Ｗｎはそれぞれ各アンテナ（第１のアンテナ〜第ｎのアンテナ）による受信信号に乗算されるアンテナ係数（重み付けの値）を示す。
なお、式１中及び式２中の”Ｔ”は転置を示し、式３中の”＊”は複素共役転置を示す。
【００１２】
【数１】
0004441064.tif 000002
【００１３】
【数２】
0004441064.tif 000003
【００１４】
【数３】
0004441064.tif 000004
【００１５】
一例として、図１０（ａ）には、基準点（同図（ａ）に示した座標中心の０点）にアレイアンテナが存在し、希望信号（希望波）が３０゜の角度方向から到来し、干渉信号（干渉波）が３３０゜の角度方向から到来するとした場合に、アダプティブアレイアンテナの適応処理が適切に行われたときの指向性パターンの一例を示してある。同図（ａ）に示されるように、指向性パターンの制御が成功すると、希望信号の到来方向にメインローブ（到来方向毎に利得の異なる指向性パターンのうち、利得が最大となる方向を含む指向性パターン）を向ける一方、干渉信号の到来方向にヌル（利得がゼロとなる指向性パターン）を向けることができ、これにより、干渉信号を抑圧して希望信号を受信することができる。
【００１６】
なお、アダプティブアレイアンテナの適応処理を行うための適応アルゴリズムとしては様々なものがあるが、その中でも、例えば「The CM Array : An Adaptive Beamformer for Constant Modulus Signals, R.Gooch and J.Lundell,Proc.ICASSP,4,pp.2523-252 6(1986-04)」に記載されたＣＭＡ（Constant Modulus Algorithm）は、その処理が比較的容易でトレーニング信号が不要であるという特徴を有していることから、一般に広く採用されている。
【００１７】
ここで、ＣＭＡによる処理では、例えば希望信号に干渉信号が合成されてしまうとレベル変動が引き起こされることに着目して、このようなレベル変動を除去するように（すなわち、定包絡とするように）各アンテナの重み付けを制御することにより、干渉信号を受信信号から除去することが行われる。そして、このようなＣＭＡ処理では、希望信号が到来する（と予想される）角度方向にメインローブを向けて当該角度方向からの信号を大きい強度で受信するとともに、干渉信号が到来する（と予想される）最大で（ｎ−１）個の角度方向（ｎはアンテナの総数）にヌルを向けて当該角度方向からの信号を小さい強度（ゼロも含む）で受信するアンテナ指向性が実現される。
【００１８】
しかしながら、ＣＭＡ処理では、最大電力が検出される角度方向にメインローブを向けるようにアダプティブアレイアンテナが制御されてしまうため、受信信号に含まれる干渉信号の電力が大きい場合には、適切な初期値を与えられなければ、希望信号の方向にヌルを向けることになってしまうといった問題があった。
【００１９】
一例として、図１０（ｂ）には、例えば上記図１０（ａ）と同様な場合に、指向性パターンの制御が失敗したときの指向性パターンの一例を示してある。同図（ｂ）に示されるように、指向性パターンの制御が失敗すると、ＣＭＡ処理により得られる受信信号では例えば希望信号の到来角度方向にヌルが向けられてしまうことから希望信号が抑圧されてしまい、この結果、希望信号に含まれるフレーム同期信号を検出することが非常に困難になってしまう。
【００２０】
なお、上記したＣＭＡ等の適応制御アルゴリズムを用いたものとして、例えば特開平７−２４５５２６号公報に記載されたアレーアンテナの制御方法及び制御装置では、複数設けられたＣＭＡ処理器の初期値の設定の仕方を工夫することで、直接波と少なくとも１つの遅延波を分離して受信することを実現している。また、例えば特開平１１−１５０４１１号公報に記載されたアレーアンテナの制御方法及び制御装置では、ＣＭＡ処理やＬＭＳ（Least Mean Square）アルゴリズム処理を用いて、送受信の周波数が異なる場合においても送信時に受信時の所望信号方向及び干渉信号方向と同一方向にそれぞれ主ビーム及び零点（ヌル点）を向けることを実現している。
【００２１】
なお、例えば参照信号を用いて適応信号処理を行うＬＭＳアルゴリズムのような方式を用いてアダプティブアレイアンテナを制御する構成や、参照系列を用いて干渉信号を除去するような方式を用いてアダプティブアレイアンテナを制御する構成では、フレーム同期を確立することが前提となるため、フレーム同期信号の検出が困難である干渉信号電力が大きい環境においては十分な性能を得ることができない。
【００２２】
そこで、上記のようなＣＭＡ処理等を用いた場合の問題を解消するものとして、例えばアダプティブアレイアンテナの制御を行いながらフレーム同期信号を検出する方式が提案されており、この方式の一例が「移動通信用アダプティブアレイのフレーム同期確立方法とその特性、府川、電子情報通信学会技術報告、ＲＣＳ９９−８１（１９９９−８）」に記載されている。
【００２３】
しかしながら、この方式では、例えば同一チャネルの干渉信号が存在する環境下においても比較的良好なフレーム同期特性を得ることができるものの、信号処理に逐次最小自乗法（ＲＬＳ）が用いられることから、処理が非常に複雑になるとともに計算精度も部分的に高精度な計算が要求されるため、装置化するに際して消費電力の増大や回路規模の増大が障害となってしまうといった不具合があった。
【００２４】
【発明が解決しようとする課題】
上記従来例で示したように、従来の受信機では、例えばアダプティブアレイアンテナのように複数のアンテナを用いてＣＭＡ処理等により信号を受信するに際して、大きい干渉信号が存在する環境においては、希望信号に含まれるフレーム同期信号の位置を正確に検出することが困難となってしまうといった不具合があった。
【００２５】
本発明は、このような従来の課題を解決するためになされたもので、複数のアンテナを用いて希望信号を受信するに際して、例えば比較的大きい干渉信号が存在する環境においても、希望信号に含まれるフレーム同期信号の位置を正確に検出することができる受信機を提供することを目的とする。
【００２６】
【課題を解決するための手段】
上記目的を達成するため、本発明に係る受信機では、次のようにして、複数のアンテナを用いて受信した希望信号に含まれるフレーム同期信号の位置を検出する。
すなわち、まず、総和信号生成手段が希望信号が到来すると予想される方向からの信号を大きい強度で受信するとともに干渉信号が到来すると予想される方向からの信号を小さい強度で受信する重み付けをそれぞれのアンテナにより受信した信号に施して当該信号を総和した総和信号を生成し、相関度検出手段が当該生成した総和信号と予め用意されたフレーム同期信号パターンとの相関度が最大となる信号位置における当該相関度を検出する。
【００２７】
そして、相関度検出手段により検出した相関度が所定の閾値未満であった場合には、総和信号再生成手段が前記重み付けにおいて受信強度が小さい方向（つまり、前記重み付けにおいて干渉信号が到来すると予想された方向）から希望信号が到来すると想定した重み付けをそれぞれのアンテナにより受信した信号に施して当該信号を総和した総和信号を生成し、フレーム同期信号位置検出手段が当該生成した総和信号と予め用意されたフレーム同期信号パターンとの相関度が最大となる信号位置をフレーム同期信号の位置又はその候補として検出する。
【００２８】
従って、例えば希望信号と比べて干渉信号のレベルが小さく、希望信号が到来すると予想された方向から実際に希望信号が到来するような場合には、総和信号生成手段により生成される総和信号とフレーム同期信号パターンとの相関度の最大値が所定の閾値を超え、これにより、当該最大値が得られた信号位置をフレーム同期信号の位置として検出することができる。
【００２９】
一方、例えば希望信号と比べて干渉信号のレベルが大きく、希望信号が到来すると予想された方向から実際には干渉信号が到来し、希望信号は実際には干渉信号が到来すると予想された方向から到来するような場合には、総和信号生成手段により生成される総和信号とフレーム同期信号パターンとの相関度の最大値が所定の閾値未満となり、これにより、干渉信号が到来すると予想された方向から希望信号が到来すると想定した重み付けによる総和信号が総和信号再生成手段により生成される。
【００３０】
このように、総和信号生成手段による総和信号の生成において希望信号が到来すると予想された方向が間違っていた場合であっても、希望信号の実際の到来方向に適合した重み付けによる総和信号の生成が総和信号再生成手段により行われるため、例えば比較的大きい干渉信号が存在する環境においても、希望信号に含まれるフレーム同期信号の位置を正確に検出することができる。
【００３１】
なお、希望信号が到来する方向や干渉信号が到来する方向としては、どのような仕方で予想されてもよいが、一例として、様々な角度方向から受信する信号の中で受信強度が最大である信号を希望信号とみなすとともに、最大ではないが比較的受信強度が大きい信号を干渉信号とみなすような予想の仕方を用いることができる。
【００３２】
また、フレーム同期信号位置検出手段としては、上記のように、例えば総和信号再生成手段により生成した総和信号と予め用意されたフレーム同期信号パターンとの相関度が最大となる信号位置をフレーム同期信号の位置として検出する手段（以下で、手段Ａと言う）として構成されてもよく、又は、例えばこのような信号位置をフレーム同期信号の位置の候補として検出する手段（以下で、手段Ｂと言う）として構成されてもよい。
【００３３】
フレーム同期信号位置検出手段が上記した手段Ａとして構成された場合には、フレーム同期信号位置検出手段により検出した信号位置をフレーム同期信号の位置とみなして、例えば後続するフレーム同期の確立等の処理を実行する構成となる。
一方、フレーム同期信号位置検出手段が上記した手段Ｂとして構成された場合には、フレーム同期信号位置検出手段により検出した信号位置をフレーム同期信号の位置の候補とみなして、例えば当該信号位置が実際にフレーム同期信号の位置であるか否かを上記した相関度等を用いて判定する構成となる。そして、この判定の結果に応じて、当該信号位置がフレーム同期信号の位置とみなされて利用される場合もあり、また、当該信号位置はフレーム同期信号の位置ではないとみなされて利用されない場合もある。
【００３４】
また、本発明では、総和信号生成手段による総和信号の生成において希望信号が到来すると予想された方向が間違っていたとみなされる場合に、これに基づいて総和信号再生成手段により再び総和信号を生成することを行っているが、このような総和信号の再生成処理は、必ずしも１回ばかりでなく、２回以上実行されてもよい。このように総和信号の再生成処理が複数回実行される態様についても、例えば或る回数目の総和信号の生成処理を総和信号生成手段によるものとみなすとともに、次の回数目の総和信号生成処理を総和信号再生成手段によるものとみなすことにより、本発明に包含される。
【００３５】
なお、このように総和信号の再生成処理を複数回実行する態様は、例えば複数の干渉信号が存在するような場合に有効であり、つまり、例えば１回目の総和信号の再生成によってフレーム同期信号の位置が正しく検出されなくとも、２回目以降の総和信号の再生成によってフレーム同期信号の位置を正しく検出することが可能である。
【００３６】
また、それぞれのアンテナにより受信した信号に重み付けを施すとは、具体的には、例えば上記式３に示したような演算処理を行うことを言っており、この場合、上記式１中に示したＸ１〜Ｘｎがそれぞれのアンテナにより受信した信号に相当し、上記式２中に示したＷ１〜Ｗｎがそれぞれのアンテナにより受信した信号に乗算する重み付けの値に相当する。また、この場合、上記式３で示した信号ｙが総和信号に相当する。
【００３７】
また、総和信号とフレーム同期信号パターンとの相関度としては、これらがどれくらい相関しているかを示すものであれば、どのようなものが用いられてもよい。具体的には、例えば総和信号とフレーム同期信号パターンとの相関値や、例えば総和信号とフレーム同期信号パターンとでビット値等が一致する数を相関度として用いることができ、これらの場合には、当該相関値や当該一致数が大きいほど相関度が高いとみなすことができる。
【００３８】
また、所定の閾値としては、特に限定はなく、例えば実用上で有効な精度でフレーム同期信号の位置を検出することができるような値であれば、装置の使用状況等に応じて種々な値に設定されてもよい。
また、本発明では、相関度検出手段により検出した相関度が所定の閾値未満であった場合には総和信号の再作成を行う一方、当該相関度が所定の閾値を超えた場合には例えば総和信号の再作成を行わずに希望信号の到来方向の予想は正しかったとして後続するフレーム同期の確立等の処理を実行する構成であるが、例えば当該相関度と所定の閾値とが等しい場合に総和信号の再生成を行うか否かについては任意に設定されて構わない。
【００３９】
【発明の実施の形態】
本発明の第１実施例に係る受信機を図面を参照して説明する。
なお、本発明に係る受信機の特徴的な構成部分は、フレーム同期信号の位置を検出する構成部分であるため、本例では、主として、当該構成部分を詳しく説明し、他の構成部分については説明を省略する。
【００４０】
図１には、本例の受信機に備えられたフレーム同期信号検出回路の構成例を示してあり、このフレーム同期信号検出回路には、複数（本例では、２以上のｋ個）のアンテナＴ１〜Ｔｋから構成されたアレイアンテナと、各アンテナＴ１〜Ｔｋにより受信した信号から各アンテナブランチの複素ベースバンド（デジタル）信号を取得する直交検波回路１と、取得した全て（ｋ個）のアンテナブランチの複素ベースバンド信号について１フレーム分のデータ（フレームデータ）を記憶保持する記憶回路２と、記憶保持されたフレームデータに対してＣＭＡ処理を施してアンテナ指向性を制御した受信データ（指向性付きフレームデータ）を算出するとともに当該受信データとフレーム同期信号パターンとの複素相関値（例えば複素相関電力）を算出した結果に基づいてフレーム同期信号の位置を検出する干渉除去回路３とが備えられている。
【００４１】
以下で、上記したフレーム同期信号検出回路の更に詳しい構成例及び動作例を説明する。
各アンテナＴ１〜Ｔｋは、送信側の装置から無線送信される信号を受信して直交検波回路１へ出力する機能を有している。なお、これら複数のアンテナＴ１〜Ｔｋの配置の仕方としては、例えば直線状に並べる仕方や方形状に並べる仕方や円状に並べる仕方等の種々な配置の仕方を用いることが可能である。
【００４２】
直交検波回路１は、ｋ個のアンテナＴ１〜Ｔｋのそれぞれから入力される信号を直交検波して得られるｋ個の複素ベースバンド（デジタル）信号を記憶回路２へ出力する機能を有している。
記憶回路２は、直交検波回路１から入力されるｋ個の複素ベースバンド信号についてそれぞれ１フレーム分のデータ（フレームデータ）を記憶保持し、干渉除去回路３からのアクセスに応じて当該フレームデータを干渉除去回路３へ出力する機能を有している。なお、記憶回路２は、このような１フレーム分に相当する時間分の受信データ（つまり、ｋ個のフレームデータ）を記憶する記憶容量を有している。
【００４３】
干渉除去回路３は、記憶回路２にアクセスして当該記憶回路２に記憶保持されたフレームデータを読み出し、読み出したフレームデータに対してＣＭＡ処理を施してアンテナ指向性を制御した受信データ（指向性付きフレームデータ）を算出する機能や、当該受信データとフレーム同期信号パターンとの複素相関演算を行って、当該演算結果に基づいて希望信号に含まれるフレーム同期信号の位置を検出する機能や、検出したフレーム同期信号の位置の情報（フレーム同期信号位置情報）を出力する機能を有している。
【００４４】
ここで、フレーム同期信号パターンとしては例えば送信側の装置と受信側の装置（本例では、受信機）とで予め共通のパターンが用意されており、送信側の装置では当該パターンと同じパターンを有するフレーム同期信号を送信フレーム（例えば上記図８（ｂ）に示したようにデータ信号の先頭）に含めて無線送信する。なお、フレーム同期信号パターンは、本例では、上記のような複素相関値の算出処理が行われる前に用意されていればよい。
【００４５】
ここで、図２には、干渉除去回路３の具体的な構成例を示してあり、本例の干渉除去回路３は、ＣＭＡ信号処理回路１１と、同期信号検出回路１２と、ヌル方向検出回路１３と、アンテナ係数記憶回路１４とから構成されている。
ＣＭＡ信号処理回路１１は、例えば、記憶回路２から入力したｋ個のフレームデータに対してＣＭＡ処理を施して、アンテナ指向性を制御した受信データを算出する機能等を有している。
【００４６】
具体的には、本例のＣＭＡ信号処理回路１１によるＣＭＡ処理では、希望信号が到来すると予想される角度方向からの信号を大きい強度で受信する（つまり、例えば当該方向にメインローブを向ける）とともに干渉信号が到来すると予想される角度方向からの信号を小さい強度で受信する（つまり、例えば当該方向にヌルを向ける）重み付けを算出し、当該重み付けをそれぞれのアンテナＴ１〜Ｔｋにより受信した信号（本例では、それぞれのアンテナＴ１〜Ｔｋから得られたフレームデータを構成する各時刻における信号値）に施して、当該重み付け後の信号を総和した結果である総和信号を生成する。なお、本例では、重み付けとして、上記式２に示したような（複素）アンテナ係数ベクトルを用いている。
【００４７】
同期信号検出回路１２は、例えば、ＣＭＡ信号処理回路１１により生成された総和信号と例えば予め用意されてメモリに記憶されているフレーム同期信号パターンとの乗算タイミングをずらしながら、当該総和信号と当該フレーム同期信号パターンとを複素乗算して、当該複素乗算結果である複素相関値（本発明に言う相関度に相当するもの）が最大となる乗算タイミングに対応した（フレーム中の）信号位置を検出する機能や、当該信号位置における複素相関値（つまり、最大となる複素相関値）を検出する機能や、当該複素相関値と例えば予め設定されてメモリに記憶されている所定の閾値との大小を比較する機能や、異なる総和信号について得られた前記最大となる複素相関値の中で最大となるものを検出する機能や、これら各機能による処理結果に基づいてフレーム同期信号の位置を検出して当該位置の情報を出力する機能等を有している。
【００４８】
ヌル方向検出回路１３は、例えば、ＣＭＡ信号処理回路１１による総和信号の生成処理に際して用いられた重み付けにおいて受信強度が小さくなる角度方向（つまり、例えば当該重み付けにおいてヌルが向けられる角度方向）を検出する機能等を有している。
【００４９】
アンテナ係数記憶回路１４は、例えば、ＣＭＡ信号処理回路１１により総和信号を生成する際に用いられるアンテナ係数ベクトル（更に具体的には、当該アンテナ係数ベクトルを構成する各成分）の初期値を記憶する機能や、ＣＭＡ信号処理回路１１により総和信号が生成されるに際して（最終的に）用いられたアンテナ係数ベクトル（更に具体的には、当該アンテナ係数ベクトルを構成する各成分）を記憶する機能等を有している。
【００５０】
以下では、具体的に、アレイアンテナとして２個のアンテナＴ１、Ｔ２から構成された２素子アレイアンテナが用いられた場合（すなわち、アンテナの総数ｋが２である場合）を例として、干渉除去回路３の動作例を説明する。
なお、以下に示すｃｏｒｒ１やｃｏｒｒ２は最大となる複素相関値を表し、それぞれ最大相関尤度レジスタ１や最大相関尤度レジスタ２に保持される。また、以下に示すｎ１やｎ２は最大となる複素相関値が得られた信号位置を表し、それぞれ最大相関値位置レジスタ１や最大相関値位置レジスタ２に保持される。また、以下に示すＷＭ１やＷＭ２はＣＭＡ処理により形成されるアンテナ係数ベクトルを表し、それぞれアンテナ係数レジスタ１やアンテナ係数レジスタ２に保持される。ここで、以上に示した“１”や“２”の添え字は何回目のＣＭＡ処理結果に関するものであるかを表している。
【００５１】
また、以下に示すＷｉｎｉは例えば前回のフレームデータに対するＣＭＡ処理が終了した時点において最終的に用いられたアンテナ係数ベクトルを表し、本例では当該アンテナ係数ベクトルを次回のフレームデータに対するＣＭＡ処理の初期値として用いることとしており、アンテナ係数初期値レジスタに保持される。また、以下に示すｎｍａｘはフレーム同期信号位置情報を表し、フレーム同期信号位置情報レジスタに保持される。
【００５２】
なお、本例では、最大相関尤度レジスタ１、２や最大相関値位置レジスタ１、２やフレーム同期信号位置情報レジスタは例えば同期信号検出回路１２に設けられており、アンテナ係数レジスタ１、２やアンテナ係数初期値レジスタは例えばアンテナ係数記憶回路１４に設けられている。
【００５３】
図３には、本例の干渉除去回路３により行われる動作の一例を示してある。なお、ここでは、或るフレームにおけるｋ個のフレームデータに対して行われる一連の処理動作例を示してあり、これと同様な処理動作が各フレーム毎に行われる。
すなわち、まず、ＣＭＡ信号処理回路１１は、ＣＭＡ処理に用いるアンテナ係数の初期値Ｗとして、前回のタイミングのフレームに関して（最終的に）制御されて用いられたアンテナ係数初期値レジスタ中のアンテナ係数ベクトルＷｉｎｉを設定する（ステップＳ１）。
【００５４】
なお、例えば受信機の動作が開始された直後等であって第１回目のフレームにおけるフレームデータをＣＭＡ処理する場合には、他の仕方でアンテナ係数ベクトルの初期値を設定することとする。この設定の仕方としては、例えば所定の１個のアンテナ素子のみを有効とする公知の手法を用いることができ、具体的に、本例の場合には、ｊが虚数部分を示すとして、アンテナＴ１のアンテナ係数Ｗ１をＷ１＝１＋ｊ・０とするとともにアンテナＴ２のアンテナ係数Ｗ２をＷ２＝０とする仕方を用いることができる。また、他の公知の手法として、例えば各アンテナから得られる受信信号の電力をフレーム内の数サンプルに関して比較し、当該電力が最も大きいアンテナ素子をアクティブにする仕方を用いることができる。また、他の手法を用いることも可能である。
【００５５】
次に、ＣＭＡ信号処理回路１１は、各アンテナＴ１〜Ｔ２により受信された信号から成る２個のフレームデータを記憶回路２から読み出して、当該フレームデータに対して第１回目のＣＭＡ処理を施し、この適応制御処理の結果として算出されたアンテナ係数ベクトルを同期信号検出回路１２及びヌル方向検出回路１３へ出力して、当該アンテナ係数ベクトルをアンテナ係数レジスタ１にＷＭ１として保存する（ステップＳ２）。
【００５６】
次に、同期信号検出回路１２は、上記した第１回目のＣＭＡ処理の対象となったフレームデータ（例えば上記式１に示したような複素入力ベクトル）を記憶回路２から読み出し、上記したアンテナ係数レジスタ１に保持されたアンテナ係数ベクトルＷＭ１と当該フレームデータとの内積演算（例えば上記式３に示したような演算）を行って、第１回目のＣＭＡ処理の結果に基づくビーム（つまり、それぞれのアンテナＴ１、Ｔ２により受信された信号を重み付けして総和した総和信号）を形成する。その後、同期信号検出回路１２は、形成した総和信号とフレーム同期信号パターンとの複素相関値が最大となる信号位置を検出し、当該信号位置における複素相関値を最大相関尤度レジスタ１にｃｏｒｒ１として記憶するとともに、当該信号位置を最大相関値位置レジスタ１にｎ１として記憶する（ステップＳ３）。
【００５７】
ここで、上記した複素相関値ｃｏｒｒ１は、フレーム同期信号パターンと１フレーム分の前記総和信号中の当該パターンと同じ長さの信号部分との一致の度合いを示す尺度（相関度）として用いられており、具体的には、第１回目のＣＭＡ処理の対象となったフレーム内で複素相関値が最大となる信号部分における当該最大値となっている。また、上記した信号位置ｎ１は、このような最大値が得られる信号部分に対応した信号位置となっている。なお、本例では、相関度として複素相関値を用いたが、例えば総和信号を復調して得られるデジタルデータ系列のビットパターンと予め用意されたフレーム同期信号パターンのビットパターンとの間で一致するビット数などを相関度として用いることもできる。
【００５８】
次に、同期信号検出回路１２は、最大相関尤度レジスタ１に格納されたｃｏｒｒ１が予め設定された所定の閾値と比べて大きいか否かを判定する（ステップＳ４）。この結果、例えばｃｏｒｒ１が閾値と比べて大きいと判定された場合には、同期信号検出回路１２は、上記した信号位置ｎ１をフレーム同期信号位置情報レジスタにｎｍａｘとして記憶するとともに、次回のフレームに関するＣＭＡ処理の初期値Ｗｉｎｉとして上記したアンテナ係数ベクトルＷＭ１をＣＭＡ処理回路１１へ出力し（ステップＳ１１）、また、当該信号位置ｎｍａｘを特定する情報をフレーム同期信号位置情報として出力して（ステップＳ１２）、今回のフレームに関する処理を終了する。
【００５９】
一方、上記の結果、例えばｃｏｒｒ１が閾値未満であると判定された場合には、第１回目のＣＭＡ処理では希望信号の到来方向の予想が誤っていて干渉信号を捕捉してしまったものと判断し、以下に示すように、第１回目のＣＭＡ処理により生成されたアンテナ指向性パターンに基づいて希望信号の到来方向を推定して当該推定結果に合ったアンテナ係数ベクトルの初期値を設定して、当該初期値を用いて第２回目のＣＭＡ処理を実行することが行われる。
【００６０】
すなわち、まず、ヌル方向検出回路１３は、アンテナ係数レジスタ１に保持されたアンテナ係数ベクトルＷＭ１を用いた場合のアンテナ指向性パターンを算出して、当該算出結果からヌル点を検出し、当該ヌル点検出結果をアンテナ係数記憶回路１４へ出力するとともに自己により保持する（ステップＳ５）。なお、アンテナ指向性パターンとしては例えばアレイアンテナが存在する受信地点を中心とする円周上の各角度方向における誘起電圧のパターンが算出され、ヌル点としては例えば当該誘起電圧が極小となるポイントが検出される。
【００６１】
具体的な一例として、第１回目のＣＭＡ処理の結果としてアダプティブアレイアンテナにより形成されるアンテナ指向性パターンが図４に示されるようなものである場合には、ヌル点は２７０度（°）の角度方向に存在するため、ヌル点検出結果としては２７０度が検出される。なお、同図に示したグラフの横軸は前記円周上の各角度方向（ｄｅｇ）を示しており、縦軸は誘起電圧の振幅を示している。また、ここでは、同図中の受信信号＃０が干渉信号であり、受信信号＃１が希望信号であるとしてある。
【００６２】
次に、アンテナ係数記憶回路１４では、ヌル方向検出回路１３により検出されたヌル点の角度方向にメインローブを向けるようなアンテナ係数ベクトルの初期値を、第２回目のＣＭＡ処理を行う前に予め算出して、アンテナ係数初期値レジスタにＷｉｎｉとして設定する（ステップＳ６）。
【００６３】
ここで、具体的な一例として、上記図４に示したように２つの方向からの電波（受信信号＃０、受信信号＃１）が存在する環境においてＣＭＡ処理を行った場合には、一般に、希望信号はＣＭＡ処理の結果により生成されるヌル点の角度方向とメインローブの角度方向とのいずれかに存在する可能性が高い。そして、第１回目のＣＭＡ処理において希望信号の到来角度方向の予想が正しかった場合には希望信号の到来方向にメインローブの方向を向けることができるが、ここでは、第１回目のＣＭＡ処理がうまく行われなかったものとし、この場合、第１回目のＣＭＡ処理の結果では干渉波方向（受信信号＃０の方向）にメインローブを向けるとともに希望波方向（受信信号＃１の方向）にヌルを向けてしまったものと考えることができる。
【００６４】
このため、上述のように、希望信号が存在すると推定される前記ヌル点の角度方向から希望信号が到来すると想定したアンテナ係数ベクトルの初期値を第２回目のＣＭＡ処理に用いられる初期値として設定することにより、第２回目のＣＭＡ処理では実際の希望波方向にメインローブを向けるとともに実際の干渉波方向にヌル点を向けることが可能となり、この結果、フレーム同期信号の位置を正しく検出することが可能となる。
【００６５】
すなわち、ＣＭＡ信号処理回路１１は、上記した第１回目のＣＭＡ処理の対象となったフレームデータを記憶回路２から読み出して、当該フレームデータに対して第２回目のＣＭＡ処理を施し、この適応制御処理の結果として算出されたアンテナ係数ベクトルを同期信号検出回路１２へ出力して、当該アンテナ係数ベクトルをアンテナ係数レジスタ２にＷＭ２として保存する（ステップＳ７）。
【００６６】
次に、同期信号検出回路１２は、上記した第２回目のＣＭＡ処理の対象となったフレームデータ（例えば上記式１に示したような複素入力ベクトル）を記憶回路２から読み出し、上記したアンテナ係数レジスタ２に保持されたアンテナ係数ベクトルＷＭ２と当該フレームデータとの内積演算（例えば上記式３に示したような演算）を行って、第２回目のＣＭＡ処理の結果に基づくビーム（つまり、それぞれのアンテナＴ１、Ｔ２により受信された信号を重み付けして総和した総和信号）を形成する。その後、同期信号検出回路１２は、形成した総和信号とフレーム同期信号パターンとの複素相関値が最大となる信号位置を検出し、当該信号位置における複素相関値を最大相関尤度レジスタ２にｃｏｒｒ２として記憶するとともに、当該信号位置を最大相関値位置レジスタ２にｎ２として記憶する（ステップＳ８）。
【００６７】
次に、同期信号検出回路１２は、最大相関尤度レジスタ２に格納されたｃｏｒｒ２が予め設定された所定の閾値と比べて大きいか否かを判定する（ステップＳ９）。この結果、例えばｃｏｒｒ２が閾値と比べて大きいと判定された場合には、同期信号検出回路１２は、上記した信号位置ｎ２をフレーム同期信号位置情報レジスタにｎｍａｘとして記憶するとともに、次回のフレームに関するＣＭＡ処理の初期値Ｗｉｎｉとして上記したアンテナ係数ベクトルＷＭ２をＣＭＡ処理回路１１へ出力し（ステップＳ１３）、また、当該信号位置ｎｍａｘを特定する情報をフレーム同期信号位置情報として出力して（ステップＳ１２）、今回のフレームに関する処理を終了する。
【００６８】
一方、上記の結果によっても、例えばｃｏｒｒ２が閾値未満であると判定された場合には、同期信号検出回路１２は、例えばｋ（本例では、ｋ＝２）回のＣＭＡ処理により得られたｋ個のｃｏｒｒ（本例では、ｃｏｒｒ１或いはｃｏｒｒ２）の中で最も大きいｃｏｒｒが得られたＣＭＡ処理が実際の希望波方向及び干渉波方向を最も正確に反映したものと判断する（ステップＳ１０）。
【００６９】
そして、同期信号検出回路１２は、最大となるｃｏｒｒが得られたＣＭＡ処理の結果を用いて検出された信号位置（本例では、ｎ１或いはｎ２）をフレーム同期信号位置情報レジスタにｎｍａｘとして記憶するとともに、次回のフレームに関するＣＭＡ処理の初期値Ｗｉｎｉとして当該ＣＭＡ処理で生成されたアンテナ係数ベクトル（本例では、ＷＭ１或いはＷＭ２）をＣＭＡ処理回路１１へ出力し（ステップＳ１４）、また、当該信号位置ｎｍａｘを特定する情報をフレーム同期信号位置情報として出力して（ステップＳ１２）、今回のフレームに関する処理を終了する。
【００７０】
以上に示したような処理動作を各フレーム単位毎に繰り返して行うことにより、干渉除去回路３では、各フレーム毎に、干渉信号を除去した総和信号を生成して希望信号に含まれるフレーム同期信号の位置を検出することができる。
以上のように、本例の受信機では、例えば希望信号と比べて干渉信号のレベルが小さく、希望信号が到来すると予想された方向から実際に希望信号が到来するような場合には、第１回目のＣＭＡ処理により生成される総和信号とフレーム同期信号パターンとの相関度の最大値が所定の閾値を超え、これにより、当該最大値が得られた信号位置をフレーム同期信号の位置として検出することができる。
【００７１】
一方、本例の受信機では、例えば希望信号と比べて干渉信号のレベルが大きく、希望信号が到来すると予想された方向から実際には干渉信号が到来し、希望信号は実際には干渉信号が到来すると予想された方向から到来するような場合には、第１回目のＣＭＡ処理により生成される総和信号とフレーム同期信号パターンとの相関度の最大値が所定の閾値未満となり、これにより、干渉信号が到来すると予想された方向から希望信号が到来すると想定した重み付けによる総和信号が第２回目のＣＭＡ処理により生成される。
【００７２】
このように、本例の受信機では、例えば第１回目のＣＭＡ処理による総和信号の生成において希望信号が到来すると予想された方向が間違っていた場合であっても、希望信号の実際の到来角度方向に適合した重み付けによる総和信号の生成が第２回目のＣＭＡ処理により行われるため、例えば希望信号と比べて等レベル以上に大きい干渉信号が存在するような環境においても、希望信号に含まれるフレーム同期信号の位置を正確に検出することができる。
また、本例の受信機では、例えばベースバンド信号処理のみによりビームフォーミングを行うことが可能であるため、装置のＬＳＩ化や低消費電力化や小型化に適している。
【００７３】
ここで、本例では、ＣＭＡ信号処理回路１１の機能やアンテナ係数記憶回路１４の機能により本発明に言う総和信号生成手段が構成され、同期信号検出回路１２の機能により本発明に言う相関度検出手段や本発明に言うフレーム同期信号位置検出手段が構成され、ＣＭＡ信号処理回路１１の機能やヌル方向検出回路１３の機能やアンテナ係数記憶回路１４の機能により本発明に言う総和信号再生成手段が構成されている。
また、本例では、アレイアンテナを構成する複数のアンテナＴ１〜Ｔｋが本発明に言う複数のアンテナに相当している。なお、アンテナの数としては、複数であれば特に限定はなく、種々な数であってもよい。
【００７４】
また、例えば特定の角度方向から希望信号が到来すると想定した場合のアンテナ係数ベクトルの初期値等を算出するために用いられるアレイアンテナビーム形成手法としては、どのような手法が用いられてもよいが、例えば共相等振幅励振の手法や低サイドローブ励振の手法が知られており、これらの手法を用いることができる。なお、これらの手法は例えば「マルチビームアレーアンテナを用いたＣＤＭＡシステムの検討、北原、小川、信学技報ＲＣＳ９８−２３１、１９９９−０２」に記載されている。
【００７５】
具体的には、上記した共相等振幅励振の手法では、所定の角度（θ）方向から到来する信号が等振幅で同相合成されるようなアンテナ係数ベクトルを生成することが行われ、このようにして生成したアンテナ係数ベクトルにより当該角度方向に最大指向特性を向けることができる。また、上記した低サイドローブ励振の手法では、希望信号が到来する角度方向以外の角度方向から到来する干渉信号の受信レベルが低減されるようなアンテナ係数ベクトルを生成することが行われ、このようにして生成したアンテナ係数ベクトルにより希望信号以外の指向特性を低くすることができる。
【００７６】
なお、メインローブの幅やサイドローブ（メインローブ、ヌルを除く他の指向性パターン）の形状等は例えばアレイアンテナの構成（例えばアンテナの総数や配置等）に依存して変化するため、例えばアンテナ係数ベクトルの初期値のパターン数や分解能としては、システムの使用状況等に応じて適当な値に設定されるのが好ましい。
【００７７】
また、本例では、２素子アレイアンテナを用いた場合について干渉除去回路３の動作例を説明したが、一般に、アレイアンテナの自由度は（アンテナ素子の総数−１）で表され、当該自由度数が確保されるような適切な間隔でアンテナ素子の配置が行われてアレイアンテナが構成された場合には、適応制御処理により、当該自由度数と同数のヌル点を形成することができる。
【００７８】
そして、希望信号が存在する可能性のある角度方向の数は前記形成可能なヌル点の数と等しくなるため、例えば２以上のヌル点が形成されるような構成では、より多くのヌル点方向に関してアンテナ係数ベクトルの初期値を再設定して総和信号の再生成処理を行うことにより、フレーム同期信号の位置の検出精度を高めることができる。なお、このような再生成処理の回数の最大値は、例えばアレイアンテナにより形成することが可能なヌル点の数（＝アンテナ素子の総数−１）となる。
【００７９】
具体的な一例として、図５には、アレイアンテナとして４個のアンテナＴ１〜Ｔ４から構成された４素子アレイアンテナが用いられた場合（すなわち、アンテナの総数ｋが４である場合）に、ＣＭＡ処理の結果としてアダプティブアレイアンテナにより形成されるアンテナ指向性パターンの一例を示してあり、この場合、３つのヌル点を形成することができる。なお、同図に示したグラフの横軸は例えば上記図４に関して述べたような円周上の各角度方向（ｄｅｇ）を示しており、縦軸は誘起電圧の振幅を示している。
【００８０】
同図に示した例では、例えばヌル点の落ち込みの大きい順（つまり、縦軸で示される振幅の小さい順）に述べると、２７０度の角度方向の第１ヌル点と、０度（＝３６０度）の角度方向の第２ヌル点と、９０度の角度方向の第３ヌル点とが検出される。そして、例えば、これらのヌル点を落ち込みの大きい順に記憶し、当該順番に従って（つまり、第１ヌル点、第２ヌル点、第３ヌル点という順番で）各ヌル点の角度方向から希望信号が到来すると想定してＣＭＡ処理に用いるアンテナ係数ベクトルの初期値の再設定処理や総和信号の再生成処理を繰り返して行ってフレーム同期信号の位置の検出を試みることにより、フレーム同期信号位置の検出の成功確率を高めることができる。
【００８１】
なお、多数のアンテナから構成されるアレイアンテナシステムであっても、例えば大電力を有する干渉信号が多数存在するようなシステムは特殊なものであり、通常は、それほど多数の干渉信号が存在しないような場合もあるため、このような場合には、例えば本発明を適用するシステムの使用状況等に応じて総和信号の再生成処理の繰り返し数（本例の場合には、ＣＭＡ処理を繰り返して行う回数）が適宜調整されるのがよい。
【００８２】
次に、本発明の第２実施例に係る基地局装置を図６を参照して説明する。
同図には、本例の基地局装置の概略的な構成例を示してあり、この基地局装置には、移動局装置等との間で無線信号を送受信する複数（本例では、２以上のｈ個）のアンテナＲ１〜Ｒｈと、送信処理や受信処理を行う通信処理部２１と、各種の制御等を行う制御部２３とが備えられており、通信処理部２１には例えば上記第１実施例の図１に示したものと同様な機能を有するフレーム同期信号検出回路２２が備えられている。また、基地局装置は例えば有線の回線を介して他の基地局装置と通信可能に接続されている。
【００８３】
通信処理部２１に備えられたフレーム同期信号検出回路２２では、例えば上記第１実施例の図１で示した回路と同様な処理を行うことにより、複数のアンテナＲ１〜Ｒｈを用いて受信される希望信号に含まれるフレーム同期信号の位置を検出する。そして、通信処理部２１では、このようにして検出されたフレーム同期信号の位置に基づいた受信タイミングで希望信号を受信処理（例えばデータの復調処理等）することを行う。
【００８４】
以上のように、本例の基地局装置では、上記第１実施例で示した受信機と同様に、例えば希望信号と等しい電力レベル以上の干渉信号が存在するような環境においても、通信相手となる移動局装置等から無線送信される希望信号に含まれるフレーム同期信号の位置を正確に検出することができる。
【００８５】
次に、本発明の第３実施例に係る移動局装置を図７を参照して説明する。
同図には、本例の移動局装置の概略的な構成例を示してあり、この移動局装置には、基地局装置等との間で無線信号を送受信する複数（本例では、２以上のｇ個）のアンテナＶ１〜Ｖｇと、送信処理や受信処理を行う通信処理部３１と、各種の制御等を行う制御部３３と、音声を出力するスピーカやデータを出力する表示画面等から構成された出力部３４と、音声を入力するマイクやデータを入力するキーボタン等から構成された入力部３５とが備えられており、通信処理部３１には例えば上記第１実施例の図１に示したものと同様な機能を有するフレーム同期信号検出回路３２が備えられている。
【００８６】
通信処理部３１に備えられたフレーム同期信号検出回路３２では、例えば上記第１実施例の図１で示した回路と同様な処理を行うことにより、複数のアンテナＶ１〜Ｖｇを用いて受信される希望信号に含まれるフレーム同期信号の位置を検出する。そして、通信処理部３１では、このようにして検出されたフレーム同期信号の位置に基づいた受信タイミングで希望信号を受信処理（例えばデータの復調処理等）することを行う。
【００８７】
以上のように、本例の移動局装置では、上記第１実施例で示した受信機と同様に、例えば希望信号と等しい電力レベル以上の干渉信号が存在するような環境においても、通信相手となる基地局装置等から無線送信される希望信号に含まれるフレーム同期信号の位置を正確に検出することができる。
【００８８】
ここで、本発明に係る受信機や基地局装置や移動局装置の構成としては、必ずしも以上の第１実施例〜第３実施例に示したものに限られず、種々な構成が用いられてもよい。
一例として、本発明に係る受信機や基地局装置や移動局装置の適用分野としては、特に限定はなく、本発明は、例えばＣＤＭＡ方式やＴＤＭＡ方式やＦＤＭＡ方式等の種々な通信方式を用いた通信システムに適用することが可能なものである。また、本発明に係る受信機は、例えば中継増幅装置等に適用することも可能なものである。
【００８９】
また、本発明に係る受信機や基地局装置や移動局装置により行われる各種の処理としては、例えばプロセッサやメモリ等を備えたハードウエア資源においてプロセッサがＲＯＭに格納された制御プログラムを実行することにより制御される構成であってもよく、また、例えば当該処理を実行するための各機能手段が独立したハードウエア回路として構成されてもよい。また、本発明は上記の制御プログラムを格納したフロッピーディスクやＣＤ−ＲＯＭ等のコンピュータにより読み取り可能な記録媒体として把握することもでき、当該制御プログラムを記録媒体からコンピュータに入力してプロセッサに実行させることにより、本発明に係る処理を遂行させることができる。
【００９０】
【発明の効果】
以上説明したように、本発明に係る受信機によると、複数のアンテナを用いて受信した希望信号に含まれるフレーム同期信号の位置を検出するに際して、希望信号が到来すると予想される方向からの信号を大きい強度で受信するとともに干渉信号が到来すると予想される方向からの信号を小さい強度で受信する重み付けをそれぞれのアンテナにより受信した信号に施して当該信号を総和した総和信号を生成し、当該生成した総和信号と予め用意されたフレーム同期信号パターンとの相関度が最大となる信号位置における当該相関度を検出し、当該検出した相関度が所定の閾値未満であった場合に、前記重み付けにおいて受信強度が小さい方向から希望信号が到来すると想定した重み付けをそれぞれのアンテナにより受信した信号に施して当該信号を総和した総和信号を生成し、当該生成した総和信号と予め用意されたフレーム同期信号パターンとの相関度が最大となる信号位置をフレーム同期信号の位置又はその候補として検出するようにしたため、例えば比較的大きい干渉信号が存在する環境においても、希望信号に含まれるフレーム同期信号の位置を正確に検出することができる。
【図面の簡単な説明】
【図１】本発明の第１実施例に係る受信機に備えられたフレーム同期信号検出回路の一例を示す図である。
【図２】干渉除去回路の構成例を示す図である。
【図３】干渉除去回路の動作例を示すフローチャート図である。
【図４】ヌル点の判定例を説明するための図である。
【図５】ヌル点の判定例を説明するための図である。
【図６】本発明の第２実施例に係る基地局装置の一例を示す図である。
【図７】本発明の第３実施例に係る移動局装置の一例を示す図である。
【図８】従来例に係るフレーム同期信号検出回路の一例を説明するための図である。
【図９】干渉波電力と相関電力との関係の一例を示す図である。
【図１０】アダプティブアレイアンテナによる指向性パターンの形成例を示す図である。
【符号の説明】
Ｔ１〜Ｔk、Ｒ１〜Ｒｈ、Ｖ１〜Ｖｇ・・アンテナ、  １・・直交検波回路、
２・・記憶回路、  ３・・干渉除去回路、  １１・・ＣＭＡ信号処理回路、
１２・・同期信号検出回路、  １３・・ヌル方向検出回路、
１４・・アンテナ係数記憶回路、  ２１、３１・・通信処理部、
２２、３２・・フレーム同期信号検出回路、  ２３、３３・・制御部、
３４・・出力部、  ３５・・入力部、
【図１】
0004441064.tif 000005
【図２】
0004441064.tif 000006
【図３】
0004441064.tif 000007
【図４】
0004441064.tif 000008
【図５】
0004441064.tif 000009
【図６】
0004441064.tif 000010
【図７】
0004441064.tif 000011
【図８】
0004441064.tif 000012
【図９】
0004441064.tif 000013
【図１０】
0004441064.tif 000014